(57)【要約】  空気−亜鉛電池モジュールが開示される。本発明の一具現例は、内部に収容空間が形成されるケースと、前記ケースの内部収容空間に設置され、且つ複数個の空気−亜鉛電池セルが連結及び積層されて形成された電池ユニットが連結されて形成される電池ユニット群と、前記ケースの内部収容空間に設置され、空気流動を誘導するファン（ｆａｎ）と、前記電池ユニット群及び前記ファン（ｆａｎ）と電気的に連結される第１スイッチングコネクターと、前記第１スイッチングコネクターと接続可能に形成される第２スイッチングコネクターとを含むスイッチングコネクターと、を備え、前記第１及び第２スイッチングコネクターの接続により前記ファン（ｆａｎ）が駆動され、前記電池ユニット群は、前記第１スイッチングコネクターに直接連結されることを特徴とする空気−亜鉛電池モジュールを提供する。
2019503028.tif 000002
【特許請求の範囲】
【請求項１】
内部に収容空間が形成されるケースと、
前記ケースの内部収容空間に設置され、且つ複数個の空気−亜鉛電池セルが連結及び積層されて形成された電池ユニットが連結されて形成される電池ユニット群と、
前記ケースの内部収容空間に設置され、空気流動を誘導するファン（ｆａｎ）と、
前記電池ユニット群及び前記ファン（ｆａｎ）と電気的に連結される第１スイッチングコネクターと、前記第１スイッチングコネクターと接続可能になるように形成される第２スイッチングコネクターとを含むスイッチングコネクターと、
を備え、
前記第１スイッチングコネクター及び第２スイッチングコネクターの接続により前記ファン（ｆａｎ）が駆動され、
前記電池ユニット群は、前記第１スイッチングコネクターに直接連結されることを特徴とする空気−亜鉛電池モジュール。
【請求項２】
前記電池ユニット群は、ｎ個（ｎ≧１）で構成され、且つ、
前記電池ユニット群がｎ個（ｎ＞１）で構成される場合、前記電池ユニット群それぞれは、互いに連結されない状態で前記第１スイッチングコネクターに直接連結されることを特徴とする請求項１に記載の空気−亜鉛電池モジュール。
【請求項３】
前記第１スイッチングコネクターには、ｎ＋１個の（＋）極端子及びｎ＋１個の（−）極端子が形成され、
前記第１スイッチングコネクターの互いに異なる（＋）極端子は、前記電池ユニット群それぞれの（＋）極及び前記ファン（ｆａｎ）の（＋）極端子と連結され、
前記第１スイッチングコネクターの互いに異なる（−）極端子は、前記電池ユニット群それぞれの（−）極及び前記ファン（ｆａｎ）の（−）極端子と連結されることを特徴とする請求項２に記載の空気−亜鉛電池モジュール。
【請求項４】
前記第２スイッチングコネクターには、前記第１スイッチングコネクターの端子と接続されるようにｎ＋１個の（＋）極端子及びｎ＋１個の（−）極端子が形成され、
前記第２スイッチングコネクターのｎ＋１個の（＋）極端子は、互いに電気的に連結され、
前記第２スイッチングコネクターのｎ＋１個の（−）極端子は、互いに電気的に連結されることを特徴とする請求項３に記載の空気−亜鉛電池モジュール。
【請求項５】
前記電池ユニットは、複数個の空気−亜鉛電池セルが直列で連結及び積層されて形成されたものであり、
前記電池ユニットが隣接する電池ユニットと一列で配置され、直列で連結された電池ユニット群を形成することを特徴とする請求項１に記載の空気−亜鉛電池モジュール。
【請求項６】
前記第２スイッチングコネクターは、前記第１スイッチングコネクターと接続するとき、電気的に連結されたインバーターに前記電池ユニット群の電力を供給し、且つ、
前記第２スイッチングコネクターの（＋）極端子のうち少なくとも一つは、前記インバーターの（＋）極と連結され、
前記第２スイッチングコネクターの（−）極端子のうち少なくとも一つは、前記インバーターの（−）極と連結されることを特徴とする請求項１に記載の空気−亜鉛電池モジュール。
【発明の詳細な説明】
【技術分野】
【０００１】
本発明は、家庭用、産業用、軍用など多様な用途の電気製品に適用可能な空気−亜鉛電池モジュールに関する。
【背景技術】
【０００２】
電気機器に対する電力供給のための手段として電池（ｂａｔｔｅｒｙ）が広く使用された。従来、電池として、マンガン乾電池、アルカリマンガン乾電池、空気−亜鉛（ｚｉｎｃ−ａｉｒ）電池などの１次電池と、ニッケルカドミウム（Ｎｉ−Ｃｄ）電池、ニッケル水素（Ｎｉ−Ｈ）電池、リチウムイオン電池などの２次電池が使用された。
【０００３】
これらのうち、空気−亜鉛電池は、１．４Ｖの相対的に高い電圧を提供し、エネルギー密度が高くて、放電容量が大きいという長所を有する。また、電池の放電が完了するまでほぼ一定の放電特性を示し、重金属の含有で使用が抑制されている水銀電池を代替できる乾電池であると考えられている。
【０００４】
前記空気−亜鉛電池は、通常、家庭用、産業用、軍用など多様な用途の電気製品に適用可能にするために、最小電池単位である空気−亜鉛電池セルを複数個含み、所要の電圧及び電流仕様を満足する空気−亜鉛電池モジュール形態で製品化されており、このような空気−亜鉛電池モジュールには、複数の空気−亜鉛電池セルを含んでいるため、電池モジュール内のすべての空気−亜鉛電池セルに空気を均一に供給するために、ファン（ｆａｎ）装置が必須に含まれる。また、電池モジュール製品を小型化し、製品の寿命を最大限長くするためには、このようなファン（ｆａｎ）に電力を供給するための電気配線、電源及びスイッチング構造も重要な部分に該当する。
【０００５】
図１は、従来技術による空気−亜鉛電池モジュールの電気配線連結構造を図式化した図である。
図１を参照すると、従来の空気−亜鉛電池モジュールの電気配線連結構造は、第１電池ユニット群１１、１２と第２電池ユニット群３１、３２が互いに並列で連結されており、前記電池ユニット群の（＋）極側の末端は、スイッチングコネクター４０に形成されている２個の（＋）極端子のうち一つと電気配線で連結され、前記電池ユニット群の（−）極側の末端は、スイッチングコネクター４０に形成されている１個の（−）極端子と電気配線で連結される。また、ファン２０に形成されている（＋）極端子は、スイッチングコネクター４０に形成されている２個の（＋）極端子のうち残りと電気配線で連結され、ファン２０に形成されている（−）極端子は、前記スイッチングコネクター４０の（−）極端子と連結される電気配線から側枝形態で連結されている。
【０００６】
図１に示された従来の空気−亜鉛電池モジュールの場合、第１電池ユニット群１１、１２と第２電池ユニット群３１、３２は、互いに電気配線が並列で連結され、閉回路（ｃｌｏｓｅｄｃｉｒｃｕｉｔ）を形成することによって、電池セル間の電圧偏差が発生する場合、実際に使用しないとしても、電池セル間の相互作用により微細な自然放電が発生する問題点があった。
【発明の概要】
【発明が解決しようとする課題】
【０００７】
本発明は、直列連結された複数個の電池ユニット、すなわち電池ユニット群をスイッチングコネクターに直接連結し、開回路（ｏｐｅｎ  ｃｉｒｃｕｉｔ）を形成することによって、電池セル間の電圧偏差が発生しても、電池セル間の相互作用がないため、使用する前までは自然放電が発生しない空気−亜鉛電池モジュールを提供するためのものである。
【０００８】
また、本発明は、ファン（ｆａｎ）の駆動及び停止のために、従来の電池モジュール製品のように、別途のスイッチ装置を具備する必要がなく、製品の小型化が可能であり、これにより、電気配線の単純化及び製造コストの節減が可能な空気−亜鉛電池モジュールを提供するためのものである。
【課題を解決するための手段】
【０００９】
本発明の一具現例は、内部に収容空間が形成されるケースと；前記ケースの内部収容空間に設置され、且つ複数個の空気−亜鉛電池セルが連結及び積層されて形成された電池ユニットが連結されて形成される電池ユニット群と；前記ケースの内部収容空間に設置され、空気流動を誘導するファン（ｆａｎ）と；前記電池ユニット群及び前記ファン（ｆａｎ）と電気的に連結される第１スイッチングコネクターと、前記第１スイッチングコネクターと接続可能に形成される第２スイッチングコネクターとを含むスイッチングコネクターと；を備え、前記第１及び第２スイッチングコネクターの接続により前記ファン（ｆａｎ）が駆動され、前記電池ユニット群は、前記第１スイッチングコネクターに直接連結されることを特徴とする空気−亜鉛電池モジュールを提供する。
【００１０】
前記電池ユニット群は、ｎ個（ｎ≧１）で構成され、且つ前記電池ユニット群がｎ個（ｎ＞１）で構成される場合、前記電池ユニット群それぞれは、互いに連結されない状態で前記第１スイッチングコネクターに直接連結されたものであることができる。
【００１１】
前記第１スイッチングコネクターには、ｎ＋１個の（＋）極端子及びｎ＋１個の（−）極端子が形成され、前記第１スイッチングコネクターの互いに異なる（＋）極端子は、前記電池ユニット群それぞれの（＋）極及び前記ファン（ｆａｎ）の（＋）極端子と連結され、前記第１スイッチングコネクターの互いに異なる（−）極端子は、前記電池ユニット群それぞれの（−）極及び前記ファン（ｆａｎ）の（−）極端子と連結されたものであることができる。
【００１２】
前記第２スイッチングコネクターには、前記第１スイッチングコネクターの端子と接続されるように、ｎ＋１個の（＋）極端子及びｎ＋１個の（−）極端子が形成され、前記第２スイッチングコネクターのｎ＋１個の（＋）極端子は、互いに電気的に連結され、前記第２スイッチングコネクターのｎ＋１個の（−）極端子は、互いに電気的に連結されたものであることができる。
【００１３】
前記電池ユニットは、複数個の空気−亜鉛電池セルが直列で連結及び積層されて形成されたものであり、前記電池ユニットが隣接する電池ユニットと一列で配置され、直列で連結された電池ユニット群を形成できる。
【００１４】
前記第２スイッチングコネクターは、前記第１スイッチングコネクターと接続するとき、電気的に連結されたインバーターに前記電池ユニット群の電力を供給し、且つ前記第２スイッチングコネクターの（＋）極端子のうち少なくとも一つは、前記インバーターの（＋）極と連結され、前記第２スイッチングコネクターの（−）極端子のうち少なくとも一つは、前記インバーターの（−）極と連結され得る。
【発明の効果】
【００１５】
本発明は、直列連結された複数個の電池ユニット、すなわち電池ユニット群をスイッチングコネクターに直接連結し、開回路（ｏｐｅｎ  ｃｉｒｃｕｉｔ）を形成することによって、電池セル間の電圧偏差が発生しても、電池セル間の相互作用がないため、使用する前までは自然放電が発生しない空気−亜鉛電池モジュールを提供できる。
【００１６】
また、本発明は、ファン（ｆａｎ）の駆動及び停止のために、従来の電池モジュール製品のように、別途のスイッチ装置を具備する必要がなく、製品の小型化が可能であり、これにより、電気配線の単純化及び製造コストの節減が可能な空気−亜鉛電池モジュールを提供できる。
【図面の簡単な説明】
【００１７】
【図１】図１は従来技術による空気−亜鉛電池モジュールの電気配線連結構造を図式化した図である。
【図２】図２は本発明による空気−亜鉛電池モジュールの一実施形態を示す図である。
【図３】図３は本発明による電池ユニットの一実施形態を示す図である。
【図４】図４は本発明による空気−亜鉛電池セルの一実施形態を示す図である。
【発明を実施するための形態】
【００１８】
本発明は、多様な変更を加えることができ、さまざまな実施形態を有することができるところ、特定の実施形態を図面に例示し、詳細な説明に詳細に説明しようとする。しかし、これは、本発明を特定の実施形態に限定しようとするものではなく、本発明の思想及び技術範囲に含まれるすべての変更、均等物乃至代替物を含むものと理解しなければならない。本発明を説明するにあたって、関連した公知技術に対する具体的な説明が本発明の要旨を不明にすることができると判断される場合、その詳細な説明を省略する。
【００１９】
本明細書で使用した用語は、ただ特定の実施形態を説明するために使用されたものであって、本発明を限定しようとする意図ではない。単数の表現は、文脈上、明白に異なって意味しない限り、複数の表現を含む。また、本明細書で記述される「含む」または「有する」などの用語は、明細書上に記載した特徴、数字、段階、動作、構成要素、部品またはこれらを組み合わせたものが存在することを指定しようとするものであって、一つまたはそれ以上の他の特徴や数字、段階、動作、構成要素、部品またはこれらを組み合わせたものなどの存在または付加可能性をあらかじめ排除しないものと理解しなければならない。
【００２０】
第１、第２等のように序数を含む用語は、多様な構成要素を説明するために使用するものであって、１つの構成要素を他の構成要素から区別する目的だけで使用され、前記構成要素を限定するために使用するものではない。
【００２１】
以下では、本発明について詳しく説明するが、必要な場合、図面を参照して説明し、下記図面は、本発明の理解を助けるための一例に過ぎず、これによって本発明の範囲が制限されるものではない。
【００２２】
本発明は、直列連結された複数個の電池ユニット、すなわち電池ユニット群をスイッチングコネクターに直接連結し、開回路（ｏｐｅｎ  ｃｉｒｃｕｉｔ）を形成することによって、電池セル間の電圧偏差が発生しても、電池セル間の相互作用がないため、使用する前までは自然放電が発生しない空気−亜鉛電池モジュールを提供するためのものである。
【００２３】
また、本発明は、ファン（ｆａｎ）の駆動及び停止のために、従来の電池モジュール製品のように別途のスイッチ装置を具備する必要がないため、製品の小型化が可能であり、これにより、電気配線の単純化及び製造コストの節減が可能な空気−亜鉛電池モジュールを提供するためのものである。
【００２４】
本発明の一具現例は、内部に収容空間が形成されるケースと；前記ケースの内部収容空間に設置され、且つ複数個の空気−亜鉛電池セルが連結及び積層されて形成された電池ユニットが連結されて形成される電池ユニット群と；前記ケースの内部収容空間に設置され、空気流動を誘導するファン（ｆａｎ）と；前記電池ユニット群及び前記ファン（ｆａｎ）と電気的に連結される第１スイッチングコネクターと、前記第１スイッチングコネクターと接続可能に形成される第２スイッチングコネクターとを含むスイッチングコネクターと；を備え、前記第１及び第２スイッチングコネクターの接続により前記ファン（ｆａｎ）が駆動され、前記電池ユニット群は、前記第１スイッチングコネクターに直接連結されることを特徴とする空気−亜鉛電池モジュールを提供する。
【００２５】
以下では、図面を参照して本発明による空気−亜鉛電池モジュールについて詳しく説明する。
【００２６】
図２は、本発明による空気−亜鉛電池モジュールの一実施形態を示す図である。
図２を参照すると、本発明による空気−亜鉛電池モジュール１００は、ケース（図示せず）と、電池ユニット群１２０と、ファン（ｆａｎ）１３０と、スイッチングコネクター１４０とを含むことができる。
【００２７】
まず、本発明においてケースは図示されていないが、内部に収容空間が形成され、後述する電池ユニット群１２０と、ファン（ｆａｎ）１３０などを収容できる構成である。
この際、ケースは、例えば六面体形状で形成され得、ケースの一面には、外気が流入されるための空気通孔が一つ以上形成され得る。
【００２８】
本発明において電池ユニット群１２０は、前述したケースの内部収容空間に設置される構成であって、本発明による空気−亜鉛電池モジュール１００には、電池ユニット群１２０が一つまたは二つ以上含まれることができる。
この際、一つまたは二つ以上含まれる電池ユニット群１２０は、後述する第１スイッチングコネクター１４１に直接連結されることを特徴とする。
【００２９】
より具体的に、前述した電池ユニット群１２０が二つ以上含まれる場合には、それぞれの電池ユニット群１２０が相互間の連結なしに独立的な状態で第１スイッチングコネクター１４１に直接連結されるように構成される。このような連結構造は、直列連結された複数個の電池ユニット１２５’、１２５”、すなわち電池ユニット群１２０をスイッチングコネクターに直接連結することによって、全体的な回路の形態を開回路（ｏｐｅｎ  ｃｉｒｃｕｉｔ）になるようにしたものであって、それぞれの電池ユニット１２５’、１２５”を構成する電池セル間に電圧偏差が発生しても、電池セル間の相互作用がないため、使用する前までは自然放電が発生しないようにできる利点がある。
【００３０】
本発明において電池ユニット群１２０は、図２に示されたように、二つ以上の電池ユニット１２５’、１２５”が連結されて形成され得る。
【００３１】
具体的に、電池ユニット群１２０は、二つ以上の電池ユニット１２５’、１２５”が直列で連結されて集合体を構成したものであって、これにより、本発明の電池ユニット群１２０は、それぞれの電池ユニット１２５’、１２５”の電圧が加わって、含まれた電池ユニット１２５’、１２５”の個数分だけ高い電圧を確保できる。
この際、電池ユニット１２５’、１２５”は、二つ以上の空気−亜鉛電池セルが直列で連結及び積層されて構成され得る。
【００３２】
具体的に、電池ユニット１２５’、１２５”は、二つ以上の空気−亜鉛電池セルが電気的に直列で連結され、それぞれの空気−亜鉛電池セルが積層された形態の構造を有することができる。これにより、本発明の電池ユニット１２５’、１２５”は、それぞれの空気−亜鉛電池セルの電圧が加わって、含まれた空気−亜鉛電池セルの個数分だけ高い電圧を確保でき、家庭用、産業用、軍用など多様な用途の電気製品に適用可能に電圧を高めるのに有利である。
【００３３】
図３は、本発明による電池ユニットの一実施形態を示す図である。
図３を参照すると、本発明による電池ユニット１２５は、直列で連結された５個の空気−亜鉛電池セル１２５ａが積層された構造よりなることができる。
【００３４】
この場合、それぞれの空気−亜鉛電池セル１２５ａの電圧が加わって、含まれた空気−亜鉛電池セル１２５ａの個数分だけ高い電圧を確保できる。例えば、それぞれの空気−亜鉛電池セル１２５ａの電圧が１．３〜１．４Ｖである場合、電池ユニット１２５の電圧は、６Ｖ以上を確保できる。
【００３５】
図３には、単位電池ユニット１２５を構成する空気−亜鉛電池セル１２５ａが５個であると図示されたが、これに限定されるものではなく、空気−亜鉛電池モジュールが使用される用途に応じて単位電池ユニット１２５当たり空気−亜鉛電池セル１２５ａの個数を変更可能である。
【００３６】
なお、空気−亜鉛電池セルは、空気−亜鉛電池モジュールを成す最小単位であって、空気−亜鉛電池セルの内部構造は、通常的に知られたように、空気拡散層、触媒活性層などが含まれた空気陽極電極部と；亜鉛（Ｚｎ）及び電解質が混合された亜鉛ゲルなどが含まれた陰極電極部と；前述した空気陽極電極部と陰極電極部の短絡を防止するために、空気陽極電極部と陰極電極部との間に位置するセパレーター（ｓｅｐａｒａｔｏｒ）と；を含んでなることができる。
【００３７】
本発明において空気−亜鉛電池セルの形態は、いずれの形態でも構わないが、空間効率を考慮するとき、板状の空気−亜鉛電池セルを使用して積層構造で電池ユニットを形成することがより好ましい。
【００３８】
図４は、本発明による空気−亜鉛電池セルの一実施形態を示す図である。
図４を参照すると、本発明による空気−亜鉛電池セル１２５ａは、板状の形態を有することができ、空気−亜鉛電池セル１２５ａの空気陽極電極部側の面には、外部と空気が連通できるように複数の空気孔１２５ｅが形成され得る。
【００３９】
また、空気−亜鉛電池セル１２５ａの空気陽極電極部側の面には、突起形態のスペーサ１２５ｃが形成されることによって、空気−亜鉛電池セル１２５ａが積層され、図３に示されたように、電池ユニット１２５を形成する場合、積層されたそれぞれの空気−亜鉛電池セル１２５ａの間に空気が円滑に連通できる空間を形成する。このような空間は、電池ユニット１２５を構成するそれぞれの空気−亜鉛電池セル１２５ａに空気が円滑に供給され得るようにすると共に、空気−亜鉛電池モジュールのケース内部の空気流動が円滑に行われるようにすることができる。
【００４０】
さらに図２を参照すると、本発明においてファン（ｆａｎ）１３０は、前述したケースの内部収容空間に設置される構成であって、外部の空気流れを空気−亜鉛電池モジュール１００内に誘導し、空気−亜鉛電池モジュール１００内の複数の空気−亜鉛電池セルよりなる電池ユニット１２５’、１２５”に空気を均一に供給する役目をする。
【００４１】
本発明においては、ファン（ｆａｎ）１３０が空気−亜鉛電池モジュール１００のケース内部に位置することによって、ファン（ｆａｎ）１３０が外部に露出した場合と比較するとき、送風羽の汚染による送風量の低下及びこれによる電池モジュール性能劣化の問題を防止でき、ファン（ｆａｎ）１３０の騒音惹起問題をも最小化できる効果がある。
【００４２】
また、本発明においては、空気−亜鉛電池モジュール１００内に含まれる電池ユニット１２５’、１２５”及び電池ユニット群１２０の個数と配置形態によって空気−亜鉛電池モジュール１００内のすべての電池ユニット１２５’、１２５”に最大限均一に空気流れを誘導し、空気を供給できるようにするために、ファン（ｆａｎ）１３０の配置位置や方向などを設計変更可能である。
【００４３】
例えば、電池ユニット１２５’が空気−亜鉛電池モジュール１００内で隣接する電池ユニット１２５”と一列で配置され、直列で連結された一つの電池ユニット群１２０を形成する場合には、電池モジュール内のすべての電池ユニット１２５’、１２５”に最大限均一に空気流れを誘導し、空気を供給できるようにするために、ファン（ｆａｎ）１３０がすべてのまたは一部の電池ユニット１２５’、１２５”の間に具備され得る。また、ファン（ｆａｎ）１３０の方向は、羽の回転軸方向と電池ユニット１２５’、１２５”の一列配置方向が同じ方向であることができる。
【００４４】
本発明においてファン（ｆａｎ）１３０は、動力源として電気エネルギーを使用するため、電気配線が連結され得るように、（＋）極端子及び（−）極端子を含む。
【００４５】
なお、本発明においてスイッチングコネクター１４０は、空気−亜鉛電池モジュール１００のケースの一面の一方の領域に形成される第１スイッチングコネクター１４１と、前記第１スイッチングコネクター１４１と接続可能に形成される第２スイッチングコネクター１４２とを含む。
この際、第１スイッチングコネクター１４１は、空気−亜鉛電池モジュール１００のケース内部に位置する電池ユニット群１２０及びファン（ｆａｎ）１３０と電気的に連結される。
【００４６】
より具体的に、前述したように、電池ユニット群１２０は、第１スイッチングコネクター１４１に直接連結されるので、前記第１スイッチングコネクター１４１には、電池ユニット群１２０の個数に対応する個数分の（＋）極端子と（−）極端子がそれぞれ具備され、これと共に、ファン（ｆａｎ）１３０の陽極端子が連結される（＋）極端子と（−）極端子がさらに具備される。
【００４７】
前記のような連結構造は、直列連結された複数個の電池ユニット１２５’、１２５”、すなわち電池ユニット群１２０をスイッチングコネクターに直接連結することによって、全体的な回路の形態を開回路（ｏｐｅｎ  ｃｉｒｃｕｉｔ）になるようにしたものであって、それぞれの電池ユニット１２５’、１２５”を構成する電池セルの間に電圧偏差が発生しても、電池セル間の相互作用がないため、使用する前までは自然放電が発生しないようにできる利点がある。
【００４８】
例えば、図２に示されたように、本発明による空気−亜鉛電池モジュール１００において電池ユニット群１２０が２個含まれる場合、第１スイッチングコネクター１４１には、３個の（＋）極端子及び３個の（−）極端子が形成される。
すなわち第１スイッチングコネクター１４１の互いに異なる（＋）極端子は、２個の電池ユニット群１２０それぞれの（＋）極と電気配線で連結され、第１スイッチングコネクター１４１の残りの一つの（＋）極端子は、ファン（ｆａｎ）に形成されている（＋）極端子と電気配線で連結される。
【００４９】
また、第１スイッチングコネクター１４１の互いに異なる（−）極端子は、２個の電池ユニット群１２０それぞれの（−）極と電気配線で連結され、第１スイッチングコネクター１４１の残りの一つの（−）極端子は、ファン（ｆａｎ）に形成されている（−）極端子と電気配線で連結される。
【００５０】
これにより、一つまたは二つ以上の電池ユニット群１２０で発生する電気のうち一部がファン（ｆａｎ）１３０の駆動エネルギーとして使用されるため、ファン（ｆａｎ）１３０を駆動させるために、別途の重いバッテリー装置を必要としないため、従来の製品に比べて製品の構造単純化及び軽量化が可能であるという利点がある。
【００５１】
本発明において第１スイッチングコネクター１４１は、インバーター（図示せず）と電気的に連結されている第２スイッチングコネクター１４２と接続及び分離が可能であり、第２スイッチングコネクター１４２には、第１スイッチングコネクター１４１の端子と対応するように、前記第１スイッチングコネクター１４１の端子の個数と同一の個数の（＋）極端子及び（−）極端子が具備される。
すなわち、図２に示されたように、本発明による空気−亜鉛電池モジュール１００において第１スイッチングコネクター１４１に３個の（＋）極端子及び３個の（−）極端子が形成される場合、第２スイッチングコネクター１４２にも、３個の（＋）極端子及び３個の（−）極端子が形成される。
【００５２】
また、第２スイッチングコネクター１４２の（＋）極端子は、互いに電気配線で連結され、第２スイッチングコネクター１４２の（−）極端子は、互いに電気配線で連結されるようにする。
【００５３】
前記のような構造的な特徴によって、第１スイッチングコネクター１４１に第２スイッチングコネクター１４２を接続すると、本発明の空気−亜鉛電池モジュール１００に通電が起き、ファン（ｆａｎ）１３０が駆動し、第２スイッチングコネクター１４２を分離すると、本発明の空気−亜鉛電池モジュール１００に通電が停止し、ファン（ｆａｎ）１３０の駆動が停止する。
すなわち、本発明による空気−亜鉛電池モジュール１００は、ファン（ｆａｎ）１３０の駆動及び停止のために、別途のスイッチング装置を具備する必要がなく、これにより、電池モジュール内の空間効率が改善され、製品の小型化が可能であり、電気配線の単純化及び製造コストの節減が可能である。また、ファン（ｆａｎ）１３０の駆動制御がスイッチングコネクターの接続及び分離だけで行われるので、間違いでファン（ｆａｎ）１３０の駆動をオフ（ｏｆｆ）しなくて、不要に放電させて、電池モジュールの寿命を短縮させるおそれをあらかじめ防止できる効果がある。
【００５４】
前記では、本発明を特定の好ましい実施形態について図示し説明したが、以下の特許請求範囲によって設けられる本発明の技術的特徴や分野を離脱しない限度内で本発明が多様に改造及び変化され得ることは、当業界において通常の知識を有する者に明白である。
【図１】
2019503028.tif 000003
【図２】
2019503028.tif 000004
【図３】
2019503028.tif 000005
【図４】
2019503028.tif 000006
【国際調査報告】
2019503028.tif 000007
2019503028.tif 000008
2019503028.tif 000009
2019503028.tif 000010